(57)【要約】【課題】縦長の螺旋状のカールを熟練を要さず容易に形成することができ、毛髪を巻いたまま寝ても不快感がなく、毛髪保持具を必要とせず、構造が簡単なヘアカーラーを提供する。【解決手段】柔軟性を有する円柱状の弾性体かならなるヘアカーラー１の本体２の外周部に、毛髪の挿入口となる螺旋状のスリット４を形成するとともに、螺旋状スリット４の内側に沿ってこれに連通させて毛髪の収容部となる螺旋状の空洞部３を形成している。【選択図】図１
2007330517.tif 000002
【特許請求の範囲】
【請求項１】
柔軟性を有する円柱状の弾性体の外周部に、毛髪の挿入口となる螺旋状のスリットを形成するとともに、該螺旋状スリットの内側に沿ってこれに連通させて毛髪の収容部となる螺旋状の空洞部を形成したことを特徴とするヘアカーラー。
【請求項２】
前記弾性体は多孔質の合成樹脂発泡体であることを特徴とする請求項１に記載のヘアカーラー。
【請求項３】
前記円柱状弾性体の軸芯部に、巻き棒を挿入するための挿入孔が形成されていることを特徴とする請求項１または請求項２に記載のヘアカーラー。
【請求項４】
前記弾性体の構成素材に、トルマリンパウダーが分散混入されていることを特徴とする請求項１から請求項３のいずれか１項に記載のヘアカーラー。
【発明の詳細な説明】
【技術分野】
【０００１】
本発明は、毛髪を巻き付けて縦長の螺旋状カールを形成するための女性用のヘアカーラーに関する。
【背景技術】
【０００２】
一般にヘアカーラーと言えば、非発泡の合成樹脂製の円筒体状カーラーを連想させ、たとえば、略円筒状の毛髪巻胴部に、軸方向の長さが軸方向と略直交する方向の長さよりも長い孔部を周方向に間隔をあけて複数個穿孔してなるヘアカーラー（特許文献１）や、合成樹脂製の円筒状芯体と毛髪巻き体との間に金属体を装着してなるヘアカーラー（特許文献２）が挙げられる。
【特許文献１】特開２０００−６０６２７号公報
【特許文献２】特開２００１−２７５７３６号公報
【発明の開示】
【発明が解決しようとする課題】
【０００３】
ところで、特許文献１および特許文献２のヘアカーラーは、その構造上から通常のロール状カールの形成には適しているが、縦長の螺旋状カールの形成には適しておらず、縦長の螺旋状カールを形成できても熟練を要するという問題があった。
【０００４】
また、無発泡の合成樹脂製のヘアカーラーは軽量であるが、ある程度の剛性を有するので、就寝前に毛髪を巻き付けて巻いたまま寝ようとすると、頭部や首部にヘアカーラーが当たって不快感を伴うという問題があった。
【０００５】
さらに、特許文献２のヘアカーラーは、合成樹脂製の円筒状芯体の他に、毛髪巻き体および金属体からなる毛髪保持具を必要とし、部品点数が多く、構造が複雑であるという問題があった。
【０００６】
本発明は、上記の事情に鑑みて創案されたものであり、縦長の螺旋状カールを熟練を要さず容易に形成することができ、毛髪を巻いたまま寝ても不快感がなく、毛髪保持具を必要とせず、構造が簡単なヘアカーラーを提供することを目的とする。
【課題を解決するための手段】
【０００７】
上記の目的を達成すべく、本発明に係るヘアカーラーは、柔軟性を有する円柱状の弾性体の外周部に、毛髪の挿入口となる螺旋状のスリットを形成するとともに、該螺旋状スリットの内側に沿ってこれに連通させて毛髪の収容部となる螺旋状の空洞部を形成したことを特徴とする。
【発明の効果】
【０００８】
本発明に係るヘアカーラーによれば、円柱状の弾性体の外周部に形成された毛髪の挿入口となる螺旋状スリットから半乾き状態の毛髪を入れ込んで、該螺旋状スリットの内側に連通する毛髪の収容部となる螺旋状空洞部に収容して乾燥させるだけで、縦長の螺旋状カールを容易に形成することができる。また、このヘアカーラーを構成する弾性体は柔軟性を有するので、毛髪を巻いたまま寝ても不快感がない。さらに、螺旋状の空洞部に収容した毛髪はスリット部分の弾性力により保持されるので、毛髪保持具を必要とせず、構造が簡単である。
【発明を実施するための最良の形態】
【０００９】
以下、本発明の実施の形態を図面に基づいて説明する。
〔第１の実施形態〕
図１は本発明の第１の実施の形態に係るヘアカーラーを示す斜視図である。図２は第１の実施の形態に係るヘアカーラーを示す正面図である。図３は第１の実施の形態に係るヘアカーラーの上端部を示す斜視図である。
【００１０】
図１から図３を参照して、第１の実施の形態に係るヘアカーラー１は、その本体２が円柱状を呈しており、本体２の外周部には螺旋状のスリット４が形成されている。さらに、この螺旋状スリット４の内側には、該螺旋状スリット４の内側に沿ってこれに連通させて螺旋状の空洞部３が形成されている。すなわち、螺旋状スリット４は毛髪の挿入口として機能し、螺旋状空洞部３は毛髪の収納部として機能する。
【００１１】
円柱状のヘアカーラー１の本体２を構成する素材には柔軟性を有する弾性体が採用され、この弾性体は多孔質の合成樹脂発泡体であることが好ましい。合成樹脂としては、熱可塑性樹脂、各種エラストマーや合成ゴムなどを用いることができる。一般的な熱可塑性樹脂としては、たとえばＥＶＡ、ポリエチレン、ポリウレタン、各種ブレンド品を挙げることができる。エラストマーとしては熱可塑性エラストマーが好ましく、たとえばスチレン系熱可塑性エラストマー、ポリオレフィン系熱可塑性エラストマー、ポリ塩化ビニル系熱可塑性エラストマー、ポリウレタン系熱可塑性エラストマー、ポリエステル系熱可塑性エラストマーなどを用いることができる。合成樹脂は発泡成形することによりスポンジ状の多孔質に形成され、その発泡率は手指で握って容易に収縮する程度の適度な柔軟性を得るに十分な程度であることが好ましい。このように弾性体が多孔質の合成樹脂発泡体であることにより、ヘアカーラー１の本体２に柔軟性を付与することができ、軽量化を図ることができる。
【００１２】
上記合成樹脂発泡体からなるヘアカーラー１の本体２の構成素材にトルマリンパウダーを分散混入させてもよく、これによりマイナスイオン効果や遠赤外線効果なども期待できる。
【００１３】
第１の実施の形態のヘアカーラー１では、毛髪挿入口としての螺旋状スリット４から半乾き状態の毛髪をその根元付近より毛先へと順次入れ込み、該螺旋状スリット４の内側に沿って形成された毛髪収納部としての螺旋状中空洞部３内に収容するように、本体２に毛髪を巻き付ける。螺旋状空洞部３に毛髪を収容することで、弾性体である本体２のスリット部分の弾性力（反発性）により毛髪が螺旋状に保持され、多孔質弾性体の通気性により毛髪が乾いて、熟練を要することなく容易に縦長の螺旋状カールを形成することができる。毛髪の乾燥は、そのまま時間を置いて乾燥させる自然乾燥でもよく、あるいはドライヤーなどの熱風を本体２の外周部に当てて強制的に乾燥を促進させてもよい。上述のように、螺旋状空洞部３に収容した毛髪はスリット部分の弾性力により保持されるので、何ら毛髪保持具を必要とせず、構造が簡単である。
【００１４】
ヘアカーラー１の本体２に、たとえば右螺旋状のスリット４および空洞部３が形成されていても、倒立させれば左螺旋状のスリット４および空洞部３となるので、右巻用カーラーおよび左巻用カーラーの二種類に対応している。したがって、内巻きカールおよび外巻きカールに対応させることができる。
【００１５】
また、ヘアカーラー１の本体２の軸方向における螺旋状スリット４および空洞部３の設置間幅を増減させれば、螺旋状カールの粗密度や巻数を調整することができる。
【００１６】
さらに、ヘアカーラー１の本体２は、上述のように多孔質の合成樹脂発泡体により形成され、適度な柔軟性および弾力性を有しているので、就寝時に毛髪を巻き付けて巻いたまま寝ても頭部や首部に当たる感触は柔らかく、不快感は生じない。このようにヘアカーラー１の本体２は柔軟性を有する弾性体であるので、小さく圧縮することができ、旅行などの携帯にも便利である。
〔第２の実施形態〕
図４は本発明の第２の実施の形態に係るヘアカーラーを示す斜視図である。図５は第２の実施の形態に係るヘアカーラーを示す正面図である。図６は第２の実施の形態に係るヘアカーラーの上端部を示す斜視図である。
【００１７】
図４から図６を参照して、第２の実施の形態に係るヘアカーラー１１では、柔軟性を有する円柱状の弾性体からなる本体１２の軸芯部に、巻き棒２０を挿入するための挿入孔１７が形成されている点が第１の実施の形態に係るヘアカーラー１と異なり、それ以外は基本的に第１の実施形態と同様の構成を有する。なお、第２の実施の形態に係るヘアカーラー１１の上端部および下端部には上記挿入孔１７を有する隆起部１５が形成されているが、本体１２と一体成形されている。
【００１８】
すなわち、ヘアカーラー１１の本体１２は円筒体状を呈しており、その軸芯部に形成された挿入孔１７に挿入される巻き棒２０は、挿入孔１７に挿入する挿入部２１と、手指で握る持ち手部２２と、これらの部位を隔てるリング状の鍔部２３と、から構成されている。この巻き棒２０は、ヘアカーラー１１の本体１２の挿入孔１７に挿入部２１を挿入して、持ち手部２２を手指で握って回転させることにより、本体１２に毛髪を巻き取り易くする巻き取り補助棒である。巻き棒２０でヘアカーラー１１の本体１２を回転させる際の巻き棒２０の空回りを防止するため、挿入部２１の外径は挿入孔１７の内径と略等しいか、あるいは若干大きく設定されることが好ましい。挿入部２１の外径を挿入孔１７の内径よりも若干大きく設定しても、ヘアカーラー１１の本体１２は弾性体により形成されているので、挿入部２１を挿入孔１７に容易に挿入することが可能である。本実施の形態では、挿入部２１の長さは挿入孔１７の長さと同程度に設定されているが、携帯性を考慮して挿入孔１７の長さよりも短く設定しても構わない。また、鍔部２３は挿入部２１の挿入限度を規定している。さらに、持ち手部２２は、作業性や携帯性を考慮すると、手指を握った際にその内部に収まる程度の長さであることが好ましい。
【００１９】
第２の実施の形態では、ヘアカーラー１１の本体１２の挿入孔１７に巻き棒２０の挿入部２１を挿入し、巻き棒２０の持ち手部２２を手指で握ってヘアカーラー１１の本体１２を回転させながら、毛髪挿入口としての螺旋状スリット１４から毛髪を入れ込むことになる。すなわち、螺旋状スリット１４から半乾き状態の毛髪をその根元付近より毛先へと順次入れ込み、該螺旋状スリット１４の内側に沿って形成された毛髪収納部としての螺旋状中空洞部１３内に収容するように、本体１２に毛髪を巻き付ける。半乾き状態の毛髪をヘアカーラー１１の本体１２に巻き付けた後は、上記挿入孔１７から巻き棒２０の挿入部２１を抜き取ることができる。螺旋状空洞部１３に毛髪を収容することで、弾性体である本体１２のスリット部分の弾性力（反発性）により毛髪が螺旋状に保持され、多孔質弾性体の通気性により毛髪が乾いて、熟練を要することなく容易に縦長の螺旋状カールを形成することができる。毛髪の乾燥は、そのまま時間を置いて乾燥させる自然乾燥でもよく、あるいはドライヤーなどの熱風を本体２の外周部に当てたり、挿入孔１７に通して強制的に乾燥を促進させたりしてもよい。
【００２０】
このように第２の実施の形態に係るヘアカーラー１１は、第１の実施の形態に係るヘアカーラー１と基本的に同様の作用効果を奏するが、特に第２の実施の形態によれば、ヘアカーラー１１の本体１２の挿入孔１７に巻き棒２０を挿入することができるので、ヘアカーラー１１の巻き作業を容易かつ円滑に行うことができるものである。
【図面の簡単な説明】
【００２１】
【図１】第１の実施の形態に係るヘアカーラーを示す斜視図である。
【図２】第１の実施の形態に係るヘアカーラーを示す正面図である。
【図３】第１の実施の形態に係るヘアカーラーの上端部を示す斜視図である。
【図４】第２の実施の形態に係るヘアカーラーを示す斜視図である。
【図５】第２の実施の形態に係るヘアカーラーを示す正面図である。
【図６】第２の実施の形態に係るヘアカーラーの上端部を示す斜視図である。
【符号の説明】
【００２２】
１    ヘアカーラー、
２    本体、
３    螺旋状の空洞部、
４    螺旋状のスリット、
１１    ヘアカーラー、
１２    本体、
１３    螺旋状の空洞部、
１４    螺旋状のスリット、
１７    挿入孔、
２０    巻き棒。
【図１】
2007330517.tif 000003
【図２】
2007330517.tif 000004
【図３】
2007330517.tif 000005
【図４】
2007330517.tif 000006
【図５】
2007330517.tif 000007
【図６】
2007330517.tif 000008